(57)【要約】【課題】画像消去機能を備えるデジタルカメラにおいて、「ごみ箱」や記録媒体の空き容量を圧迫することを回避する。【解決手段】記録媒体に記録された画像を選択的に消去するとともに、選択された画像を「ごみ箱」に記録する画像消去機能を備えるデジタルカメラの画像記録制御方法であって、Ｓ２０７で画像消去を実行する際に、Ｓ２１０で「ごみ箱」にすでに記録されている画像のサイズ縮小および／またはデータ圧縮により画像のデータ量を削減し、Ｓ２１１で「ごみ箱」に記録する。【選択図】  図２
2004214943.tif 000002
【特許請求の範囲】
【請求項１】
記録媒体に記録された画像を選択的に消去するとともに、選択された画像を前記記録媒体の特定領域に記録する画像消去機能を備えるデジタルカメラであって、
画像のデータ量を削減する画像データ量削減手段と、
選択された画像を前記特定領域に記録する際に、前記特定領域にすでに記録されている画像のデータ量を前記画像データ量削減手段で削減して前記特定領域に再記録する画像記録制御手段と、
を備えるデジタルカメラ。
【請求項２】
前記画像データ量削減手段は、画像のサイズを縮小するものであり、前記画像記録制御手段は、画像サイズを縮小して再記録する請求項１記載のデジタルカメラ。
【請求項３】
前記画像データ量削減手段は、画像のデータを圧縮するものであり、前記画像記録制御手段は、画像データの圧縮率を高めて再記録する請求項１または２記載のデジタルカメラ。
【請求項４】
前記画像記録制御手段は、選択された画像を前記特定領域の容量に応じて決定したデータ量で前記特定領域に記録する請求項１から３のいずれか一項記載のデジタルカメラ。
【請求項５】
前記画像記録制御手段は、選択された画像を前記特定領域の容量の１／２を越えない大きさのデータ量で前記特定領域に記録する請求項４記載のデジタルカメラ。
【請求項６】
前記画像記録制御手段は、前記特定領域にすでに記録されている画像を元の容量の１／２を越えない大きさのデータ量で前記特定領域に再記録する請求項１から５のいずれか一項記載のデジタルカメラ。
【請求項７】
前記画像記録制御手段は、選択された画像を元のデータ量のまま前記記録媒体に記録される最大データ量の画像の少なくとも２倍の容量に設定した特定領域に記録する請求項１から６のいずれか一項記載のデジタルカメラ。
【請求項８】
記録媒体に記録された画像を選択的に消去するとともに、選択された画像を前記記録媒体の特定領域に記録する画像消去機能を備えるデジタルカメラの画像記録制御方法であって、
選択された画像を前記特定領域に記録する際に、前記特定領域にすでに記録されている画像のサイズ縮小および／またはデータ圧縮により画像のデータ量を削減して前記特定領域に再記録する記録ステップを含むデジタルカメラの画像記録制御方法。
【請求項９】
前記画像記録ステップは、選択された画像を前記特定領域の容量に応じて決定したデータ量で前記特定領域に記録するステップを含む請求項８記載のデジタルカメラの画像記録制御方法。
【請求項１０】
前記画像記録ステップは、選択された画像を前記特定領域の容量の１／２を越えない大きさのデータ量で前記特定領域に記録するステップを含む請求項９記載のデジタルカメラの画像記録制御方法。
【請求項１１】
前記画像記録ステップは、前記特定領域にすでに記録されている画像を元の容量の１／２を越えない大きさのデータ量で前記特定領域に再記録するステップを含む請求項８から１０のいずれか一項記載のデジタルカメラの画像記録制御方法。
【請求項１２】
前記記録ステップは、選択された画像を元のデータ量のまま前記記録媒体に記録される最大データ量の画像の少なくとも２倍の容量に設定した特定領域に記録するステップを含む請求項８から１１のいずれか一項記載のデジタルカメラの画像記録制御方法。
【請求項１３】
記録媒体に記録された画像を選択的に消去するとともに、選択された画像を前記記録媒体の特定領域に記録する画像消去機能を備えるデジタルカメラの画像記録制御プログラムであって、コンピュータを、選択された画像を前記特定領域に記録する際に、前記特定領域の容量に応じて前記特定領域にすでに記録されている画像のサイズ縮小および／またはデータ圧縮により画像のデータ量を削減して前記特定領域に再記録する手段として機能させるデジタルカメラの画像記録制御プログラム。
【発明の詳細な説明】
【０００１】
【発明の属する技術分野】
本発明は、画像消去機能を備えるデジタルカメラおよびその画像記録制御方法に関する。
【０００２】
【従来の技術】
近年、デジタルカメラの記録画素数が向上し高画質化が進んでいる。それに伴い記録媒体に保存する画像ファイルのサイズも大きくなっている。一方、記録媒体に使用するフラッシュメモリ素子も高集積化が進み大容量の記録媒体が提供されているため、記録媒体の撮影可能枚数に関しては光学式のカメラに比べて遜色が無くなっている。しかし、撮影を行う場合は後の画像加工に有利なように情報量の多い大きな画像サイズを設定することが多く、デジタルカメラにおける記録媒体の容量管理は欠かすことができない。
【０００３】
デジタルカメラの画像記録方式には、不要な記録画像を消去し記録媒体を繰り返し使用することができるという利点がある。記録媒体に記録されたすべての画像ファイルをパーソナルコンピュータ等の記憶装置に転送した後、記録媒体の画像ファイルを一括して消去するというような使用法の他に、デジタルカメラの操作で不要な記録画像を個々に選んで消去し、記録媒体の空き容量を増やすことができる。
【０００４】
デジタルカメラの操作で個々の記録画像の消去を行う際に、カメラの使用者はその記録画像が不要であると判断して消去する訳であるが、操作を誤り他の画像を消去してしまったり、後になって消去した画像が欲しくなったりすることがある。
【０００５】
画像をメモリに蓄積する電子機器において、消去された画像ファイルの復元を可能にする一般的な方法として、パーソナルコンピュータで使用されている「ごみ箱」方式がある。ファイルの消去操作が行われた場合に、実際には消去せずにごみ箱に移しておき、簡単な操作でファイルの復元を可能にしている。
【０００６】
しかしながら、画像ファイルはサイズが大きく、電子機器に備えるメモリには限度があるため、従来技術においては、ファイルの復元が必要になる可能性が一般には小さいことを考慮し、画像ファイルをごみ箱に移す際に適当なアルゴリズムを用いて画像ファイルのサイズを縮小して記録し直す方式が採用されている。
【０００７】
このような方式を電子ファイルシステムに適用した従来技術として、特許文献１に記載されているものがある。電子ファイルシステムにおいては、原画像の冗長性を取り除く圧縮コード化を行い記録画像ファイルを生成するが、ここでは、消去する画像ファイルから原画像のビットデータを復元し、それに対して一定の縮小アルゴリズムを適用して縮小画像を作成し、元の画像ファイルを削除した後、この縮小画像を圧縮コード化して記録画像ファイルを生成し記録する。このようにすることで、再記録された画像ファイルのデータ量を減らし、そのサイズを縮小している。
【０００８】
また、画像をメモリに蓄積して印刷するプリンタに適用した従来技術として特許文献２に記載されているものがある。ここでは、メモリの空き容量が不足する場合に、既にメモリに蓄積されている画像から消去および圧縮が可能なものを選択し、その画像の消去あるいは圧縮を行い、それでも依然としてメモリの空き容量が不足する場合は、その画像を圧縮率がより高くなる別のデータ形式に変換して画像の圧縮を行う。
【０００９】
【特許文献１】
特開平５−３７７４６号公報
【特許文献２】
特開２０００−１６５６３４号公報
【００１０】
【発明が解決しようとする課題】
上記従来技術においては、画像ファイルを消去する際に、原画像の縮小画像を作成し再保存し、あるいは別のデータ形式に変換することにより圧縮率が高くなるようにすることにより、メモリの空き容量を増やしている。
【００１１】
しかしながら、これらの技術をデジタルカメラに適用することを考えた場合に、原画像の縮小画像を作成し再保存する方法は有効であるが、画像の圧縮率は一定であり、消去画像が蓄積されていくと、いずれごみ箱が満杯になり、ごみ箱の容量を可変する場合はやがて記録媒体の空き容量が圧迫されることになる。
【００１２】
また、画像を圧縮率がより高くなる別のデータ形態に変換する方法は、プリンタのメモリに蓄積される画像のように、複数のデータ形式から選択して画像を圧縮できる場合には有効な方法であるが、デジタルカメラのように標準形式の画像で記録媒体に記録する場合には適用できない。
【００１３】
本発明は上記事情に鑑みてなされたもので、記録媒体に記録された画像の消去が指定された場合に、画像を選択的に消去するとともに、記録媒体の特定領域（ごみ箱）に記録するデジタルカメラにおいて、特定領域や記録媒体の空き容量を圧迫することが無いデジタルカメラおよびその画像記録制御方法を提供することを目的とする。
【００１４】
【課題を解決するための手段】
請求項１のデジタルカメラは、記録媒体に記録された画像を選択的に消去するとともに、選択された画像を前記記録媒体の特定領域に記録する画像消去機能を備えるデジタルカメラであって、画像のデータ量を削減する画像データ量削減手段と、選択された画像を前記特定領域に記録する際に、前記特定領域にすでに記録されている画像のデータ量を前記画像データ量削減手段で削減して前記特定領域に再記録する画像記録制御手段とを備える。
【００１５】
請求項８のデジタルカメラの画像記録方法は、記録媒体に記録された画像を選択的に消去するとともに、選択された画像を前記記録媒体の特定領域に記録する画像消去機能を備えるデジタルカメラの画像記録制御方法であって、選択された画像を前記特定領域に記録する際に、前記特定領域にすでに記録されている画像のサイズ縮小および／またはデータ圧縮により画像のデータ量を削減して前記特定領域に再記録する記録ステップを含む。
【００１６】
請求項１、８に係る発明によれば、記録媒体に記録された画像の消去が指定されたときに、それ以前に特定領域に記録された画像のデータ量を削減して再記録することにより、消去時点が古い画像のデータ削減率を高くすることができるため、消去時に一定の縮小処理を行う従来方式に比べると、特定領域や記録媒体の空き容量を圧迫することがなくなる。
【００１７】
請求項２のデジタルカメラは、請求項１記載のデジタルカメラにおいて、前記画像データ量削減手段は、画像のサイズを縮小するものであり、前記画像記録制御手段は、画像サイズを縮小して再記録するものである。
【００１８】
請求項３のデジタルカメラは、請求項１または２記載のデジタルカメラにおいて、前記画像データ量削減手段は、画像のデータを圧縮するものであり、前記画像記録制御手段は、画像データの圧縮率を高めて再記録するものである。
【００１９】
上記構成によれば、画像サイズの縮小や画像データの圧縮を適用することで画像のデータ量を効果的に削減することができる。
【００２０】
請求項４のデジタルカメラは、請求項１から３のいずれか一項記載のデジタルカメラにおいて、前記画像記録制御手段は、選択された画像を前記特定領域の容量に応じて決定したデータ量で前記特定領域に記録するものである。
【００２１】
請求項９のデジタルカメラの画像記録制御方法は、請求項８記載のデジタルカメラの画像記録制御方法において、前記画像記録ステップは、選択された画像を前記特定領域の容量に応じて決定したデータ量で前記特定領域に記録するステップを含むものである。
【００２２】
請求項４、９に係る発明によれば、特定領域に記録する画像のデータ量を特定領域の容量に関連付けて決定できるため、適切な決定を行うことで消去により特定領域に画像が蓄積されても特定領域の空き容量が圧迫されないようにすることが可能となる。
【００２３】
請求項５のデジタルカメラは、請求項４記載のデジタルカメラにおいて、前記画像記録制御手段は、選択された画像を前記特定領域の容量の１／２を越えない大きさのデータ量で前記特定領域に記録するものである。
【００２４】
請求項６のデジタルカメラは、請求項１から５のいずれか一項記載のデジタルカメラにおいて、前記画像記録制御手段は、前記特定領域にすでに記録されている画像を元の容量の１／２を越えない大きさのデータ量で前記特定領域に再記録するものである。
【００２５】
請求項１０のデジタルカメラの画像記録制御方法は、請求項９記載のデジタルカメラの画像記録制御方法において、前記画像記録ステップは、選択された画像を前記特定領域の容量の１／２を越えない大きさのデータ量で前記特定領域に記録するステップを含むものである。
【００２６】
請求項１１のデジタルカメラの画像記録制御方法は、請求項８から１０のいずれか一項記載のデジタルカメラの画像記録制御方法において、前記画像記録ステップは、前記特定領域にすでに記録されている画像を元の容量の１／２を越えない大きさのデータ量で前記特定領域に再記録するステップを含むものである。
【００２７】
請求項５、６、１０、１１に係る発明によれば、画像消去の際に、画像のデータ量を特定領域の容量の１／２に削減して特定領域に記録することで、特定領域に記録されている画像データの合計を極めて小さくすることができる。特に、すでに記録されている画像を元の容量の１／２を越えない大きさのデータ量で特定領域に再記録することで、特定領域の画像を消去順に１／２の比を有する数列で蓄積させることが可能となり、特定領域の画像データの合計を特定領域の１／２以下に抑えることができる。このため、常時１／２の空き容量を特定領域に確保できるため、特定領域の空き容量が不足することがなくなる。
【００２８】
請求項７のデジタルカメラは、請求項１から６のいずれか一項記載のデジタルカメラにおいて、前記画像記録制御手段は、選択された画像を元のデータ量のまま前記記録媒体に記録される最大データ量の画像の少なくとも２倍の容量に設定した特定領域に記録するものである。
【００２９】
請求項１２のデジタルカメラの画像記録制御方法は、請求項８から１１のいずれか一項記載のデジタルカメラの画像記録制御方法において、前記記録ステップは、選択された画像を元のデータ量のまま前記記録媒体に記録される最大データ量の画像の少なくとも２倍の容量に設定した特定領域に記録するステップを含むものである。
【００３０】
請求項７、１２に係る発明によれば、直近に消去した画像のデータ量を削減せずに元のデータ量のまま特定領域に記録することで、例えば、誤って画像を消去した場合でも、画質を損なうことなく消去した画像を復元することができる。この場合、特定領域の容量を記録媒体に記録される最大データ量の画像の少なくとも２倍の容量に設定しておくことで、元のデータ量のまま画像を記録しても特定領域の容量不足が生じることはない。
【００３１】
【発明の実施の形態】
以下、本発明の実施の形態について図面を参照して説明する。
図１は本発明の一実施の形態に係るデジタルカメラの構成を示すブロック図である。図１において、１００はデジタルカメラの制御を行うメインＬＳＩ、１１０は被写体の撮影画像をデジタル画像データに変換して取り込む画像入力系、１１１は画像を記録する記録媒体、１１２は制御プログラムおよび画像データが置かれるＳＲＡＭ、１１３はロードされる処理プログラムを記憶するフラッシュＲＯＭである。
【００３２】
また、メインＬＳＩ１００において、１０１は処理プログラムを実行するＣＰＵ、１０２はＬＳＩ内蔵ＲＡＭ、１０３はデジタル画像データを処理する信号処理回路、１０４は画像圧縮を行うＪＰＥＧ回路、１０５はモニタ画像を出力する画像表示回路、１０６は記録媒体へのアクセスを制御する記録媒体制御回路である。
【００３３】
画像入力系１１０から信号処理回路１０３を経由して入力されたデジタル画像データは、ＬＳＩ内蔵ＲＡＭ１０２やＳＲＡＭ１１２をバッファとして、ＪＰＥＧ回路１０４による圧縮等の画像処理が施され、記録画像として記録媒体１１１に記録される。また、モニタ表示用のＬＣＤや外部に接続されるテレビに出力するための表示画像は画像表示回路１０５に送られ、ここでＬＣＤやテレビを駆動する信号が生成される
【００３４】
記録媒体１１１に記録された画像は、カメラ使用者の操作により、個別の画像を指定して選択的に消去することができる。記録媒体内には、いわゆるごみ箱方式の特定領域が設けてあり、消去することが指定された画像は、その画像を消去する前にごみ箱に移すことで再記録される。
【００３５】
ごみ箱に再記録された画像は、カメラ使用者がごみ箱内の画像ファイルを指定して操作することにより、ＣＰＵ１０１で実行される処理プログラムがこの画像ファイルを読み込み画像を復元するため、誤操作により画像を消去してしまったような場合に直ちに元の画像を取り戻すことができる。
【００３６】
ここで、限られた容量のごみ箱を有効に利用するために、選択的に消去することが指定されごみ箱に再記録される画像は、そのファイル容量が最大でもごみ箱の容量の１／２になるように、画像サイズの縮小あるいは画像データの圧縮、あるいはその双方を実施する。
【００３７】
また、消去することが指定された画像データをごみ箱に再記録する前に、これ以前にごみ箱に再記録されたすべての画像ファイルについて、それぞれのファイル容量が以前のファイル容量の１／２になるように処理する。
【００３８】
これは、ごみ箱に再記録されたすべての画像ファイルを順に読み出し、それぞれの画像を復元した上で、それぞれのファイル容量が以前のファイル容量の１／２になるように、画像サイズの縮小あるいは画像データの圧縮、あるいはその双方を実施し、ごみ箱のそれぞれのファイルに上書きすることにより実施することができる。
【００３９】
このようにすることにより、消去時点が古い画像ファイルの容量縮小比が幾何級数的に高くなるため、消去時に一定の縮小処理を行う従来の方式に比べると、ごみ箱の空き容量を格段に大きくすることができる。また、画像ファイルの容量縮小比を１／２にすることにより、ごみ箱には必ずその容量の１／２の空きができることになるので、消去することが指定された画像を必ずごみ箱に再記録することができ、ごみ箱の容量不足が決して発生しないことになる。
【００４０】
ここで、画像ファイルを読み出し処理する順序は論理的には問わないが、実際面では記録媒体のファイル領域管理が効率よく行えるように、ごみ箱に最も新しく再記録されたファイル容量の大きい画像ファイルから順次処理するなどの方法が考えられる。
【００４１】
また、ごみ箱の容量を記録媒体に記録される画像の最大データ量の少なくとも２倍に設定すると、ごみ箱の容量不足が決して発生しないばかりでなく、最後にごみ箱に再記録する画像のサイズ縮小、データ圧縮を行う必要が無いため、画像を復元したときに消去する前と同じ画質の画像を復元することができる。
【００４２】
最終以前にごみ箱に再記録された画像は、画像を復元したときに画像サイズの縮小あるいは画像データの圧縮を行った分だけ消去する前より画質が劣るが、古い画像ほど復元する必要性が急速に薄れると考えられるため、新しい画像ほど良い画質が得られることで現実的な利便をもたらすことができる。
【００４３】
図２および図３は、上記実施の形態に係るデジタルカメラの画像記録制御方法を示すフローチャートである。図２において、ステップＳ２０１はデジタルカメラの電源がオンにされた状態であり、通常の撮影を行う他にさまざまなメニュ選択ができる状態である。
【００４４】
メニュ選択において、ステップＳ２０２で初期設定が選択された場合はステップＳ２０３に進み、各種初期設定に加えて、記録媒体に記録された画像を消去しごみ箱に再記録する場合の条件の初期設定を行うことができる。例えば、ごみ箱の有無、画像サイズの縮小可否、画像サイズの縮小倍率、ごみ箱への保存方法がＮ枚均等保存モードか最終消去画像優先保存モードか、などである。
【００４５】
ここで、Ｎ枚均等保存モードとは、消去時に画像に一定の縮小処理を行って保存する従来方式の方法であり、最終消去画像優先保存モードとは、上記に説明した方式のように、直近にごみ箱に再記録された画像が最も良い画質を保つようにする方法である。
【００４６】
ステップＳ２０４では記録媒体に記録された画像の消去が指定されたことを検出する。画像の消去でない場合はステップＳ２０５に進み、他のメニュ選択に従って撮影やその他の処理が行われる。画像の消去の場合はステップＳ２０６に進み、ごみ箱の有無が調べられる。ごみ箱が無い場合は直ちにステップＳ２１８に進み、指定された画像のファイルを消去しメニュ選択に戻る。
【００４７】
ごみ箱有りの場合は、ステップＳ２０７で、消去モードとしてごみ箱への保存方法設定がＮ枚均等保存モードか、あるいは最終消去画像優先保存モードかが調べられる。ここで消去モードが本発明に係る最終消去画像優先保存モードであった場合は、ステップＳ２０８からＳ２１３の処理により、これ以前にごみ箱に再記録されたすべての画像ファイルについて、それぞれのファイル容量を１／２にする処理が行われる。
【００４８】
すなわち、ステップＳ２０８では最後にごみ箱に再記録された画像ファイルを選択し、ステップＳ２０９でこれを読み出し画像を復元する。ステップＳ２１０では画像サイズの縮小および／または画像データの圧縮を行い、ファイル容量を元の大きさの１／２にし、このファイルをステップＳ２１１でごみ箱の元のファイルに上書きする。
【００４９】
図３に示すフローチャートは、ステップＳ２１０の処理、すなわち、ファイル容量が元の大きさの１／２以下になるように、画像サイズの縮小または画像データの圧縮、あるいはその双方を実施する方法を説明するフローチャートである。
【００５０】
図３において、ステップＳ３０１およびＳ３０２で、初期設定が画像サイズの縮小と画像データの圧縮のいずれを行うように指定しているかを調べ、ステップＳ３０３からＳ３０５でそれぞれの処理を行い、最終的にファイル容量が元の大きさの１／２以下になるようにする。
【００５１】
ステップＳ２１２ではごみ箱に再記録されたすべての画像ファイルについて上記処理が終了したか否かを調べ、終了していない場合はステップＳ２１３でごみ箱内の次の画像ファイルを選択し、ステップＳ２０９以降の処理を繰り返す。
【００５２】
ごみ箱に再記録されたすべての画像ファイルについてファイル容量を１／２にする処理が終了した場合はステップＳ２１４に進み、今回消去することが指定された画像のファイル容量がごみ箱の容量の１／２以下であるか否かが調べられる。
【００５３】
消去する画像のファイル容量がごみ箱の容量の１／２を越える場合はステップＳ２１５に進み、ファイル容量がごみ箱の容量の１／２以下になるように画像サイズの縮小または画像データの圧縮、あるいはその双方が実施される。ここで、前述したように、ごみ箱の容量を記録媒体に記録される画像の最大のデータ量の少なくとも２倍に設定すると、このような処理をする必要が生ぜず、ステップＳ２１５の処理が不要になる。
【００５４】
このようにして、ごみ箱の容量の１／２以下であることが確定した画像ファイルがステップＳ２１７においてごみ箱に書き込まれる。ステップＳ２１８では、消去が指定された元の記録媒体内の画像ファイルが消去され、一連の処理を完了したことでメニュ選択に戻る。
【００５５】
ステップＳ２０７で消去モードがＮ枚均等保存モードであった場合はステップＳ２１６に進む。このモードではごみ箱に再記録されるすべての画像ファイル容量はごみ箱の容量の１／Ｎとされるため、ファイル容量がごみ箱の容量の１／Ｎになるように、画像サイズの縮小または画像データの圧縮、あるいはその双方が実施される。
【００５６】
このようにして、ごみ箱の容量の１／Ｎに縮小された画像ファイルがステップＳ２１７においてごみ箱に書き込まれる。ステップＳ２１８では、消去が指定された元の記録媒体内の画像ファイルが消去され、一連の処理を完了したことでメニュ選択に戻る。この方式ではごみ箱に保存できる画像ファイルはＮ個に限られるので、それを越えた場合は古い画像ファイルはごみ箱からも消去される。
【００５７】
以上のように、本実施の形態により、ごみ箱の容量不足が決して発生しないばかりでなく、最後にごみ箱に再記録された画像データは、画像を復元したときに消去する前と同じ画質の画像を復元することが可能となり、ごみ箱に再記録された時点が新しい画像ほど画像を復元したときに良い画質が得られるごみ箱方式を実現することができる。
【００５８】
【発明の効果】
以上説明したように、本発明によれば、記録媒体に記録された画像の消去が指定されたときに、それ以前に特定領域に記録された画像のデータ量を削減して再記録することにより、消去時点が古い画像のデータ削減率を高くすることができるため、消去時に一定の縮小処理を行う従来方式に比べると、特定領域や記録媒体の空き容量を圧迫することがなくなる。
【図面の簡単な説明】
【図１】本発明の一実施の形態に係るデジタルカメラの構成を示すブロック図。
【図２】本発明の一実施の形態に係るデジタルカメラの画像記録制御方法を示すフローチャート。
【図３】ファイル容量を元の大きさの１／２に削減する処理方法を説明するフローチャート。
【符号の説明】
１００  メインＬＳＩ
１０１  ＣＰＵ
１０２  ＬＳＩ内蔵ＲＡＭ
１０３  信号処理回路
１０４  ＪＰＥＧ回路
１０５  画像表示回路
１０６  記録媒体制御回路
１１０  画像入力系
１１１  記録媒体
１１２  ＳＲＡＭ
１１３  フラッシュＲＯＭ
【図１】
2004214943.tif 000003
【図２】
2004214943.tif 000004
【図３】
2004214943.tif 000005